(57)【要約】【課題】組み立て作業性が良く、意匠性が良い照明器具のカバー枠を提供する。【解決手段】照明器具カバーの４辺を囲む４つのカバー枠材は、カバー支持片２１５と仕切り片２１４とカバー周材片２１３とで断面がＪ字とＬ字とを背合わせにした略逆Ｔ字状を成し、Ｌ字状の屈曲部で照明カバーを支持し、連結部材２２０が取り付けられる連結部材取付片２１２をＪ字状の屈曲部の内側に有する。Ｌ字状の連結部材２２０は、カバー枠材Ａ２０１の開口部２１１に挿入されてネジ２２２でカバー枠材Ａ２０１に固定されると共に、カバー枠材Ｂ２０２の開口部２１１に挿入されてネジ２２２でカバー枠材Ｂ２０２に固定される。カバー枠材Ａ２０１とカバー枠材Ｂ２０２とは、端部が４５度に切断されており、隙間なく連結される。同様にして、４つのカバー枠材を連結して照明器具カバーのカバー枠を組み立てる。【選択図】図５
2010267454.tif 000002
【特許請求の範囲】
【請求項１】
照明器具の内部をカバーする照明カバーの周囲に並べられて前記照明カバーを囲う複数のカバー枠材と、隣り合うカバー枠材を連結する連結部材とを備える照明器具のカバー枠であり、
前記複数のカバー枠材の各カバー枠材は、
断面がＬ字状を成してＬ字状の屈曲部で前記照明カバーを支持するカバー支持部と、
断面が前記カバー支持部と背合わせにＬ字状を成して一端が照明器具側に折り曲げられたカバー周材部と、
前記カバー周材部に設けられると共に前記連結部材が取り付けられる連結部材取付部と
を有することを特徴とする照明器具のカバー枠。
【請求項２】
前記連結部材取付部は、断面がＬ字状であり、前記カバー周材部にＬ字状の両端部を接して前記カバー周材部と共に口の字状の開口部を設ける
ことを特徴とする請求項１記載の照明器具のカバー枠。
【請求項３】
各カバー枠材は、
隣り合うカバー枠材と接する接端部を有する
ことを特徴とする請求項１または請求項２に記載の照明器具のカバー枠。
【請求項４】
前記接端部は、おおよそ４５度の角度を成すことを特徴とする請求項３記載の照明器具のカバー枠。
【請求項５】
隣り合うカバー枠材は、前記接端部で接してＬ字状を成し、
前記連結部材は、隣り合うカバー枠材を連結するＬ字状の部材である
ことを特徴とする請求項３または請求項４に記載の照明器具のカバー枠。
【請求項６】
前記連結部材取付部と前記連結部材とは、ネジが挿入されるネジ穴を有し、
前記連結部材は、前記連結部材取付部と前記カバー周材部との間に挿入され、ネジにより前記連結部材取付部に固定される
ことを特徴とする請求項１〜請求項５いずれかに記載の照明器具のカバー枠。
【請求項７】
前記連結部材取付部は、前記連結部材が嵌め込まれる嵌め込み穴を有し、
前記連結部材は、前記連結部材取付部の前記嵌め込み穴に嵌め込まれる突部を有し、前記突部を前記連結部材取付部の嵌め込み穴に嵌め込んで前記連結部材取付部に固定される
ことを特徴とする請求項１〜請求項５いずれかに記載の照明器具のカバー枠。
【請求項８】
前記連結部材は、断面がコの字状である胴部のコの字状の背側に前記突部を有し、前記突部が前記胴部のコの字状の内側に押し込められて前記連結部材取付部と前記カバー周材部との間に挿入され、前記突部が持ち上がって前記連結部材取付部の前記嵌め込み穴に嵌まる
ことを特徴とする請求項７記載の照明器具のカバー枠。
【請求項９】
前記連結部材取付部は、前記カバー周材部との間にネジの頭部を通し、前記ネジの胴部を通す開口路を有し、
前記連結部材は、ネジの胴部が挿入されるネジ穴を有し、前記連結部材取付部の上に置かれて前記連結部材取付部の前記開口路を通るネジの胴部を前記ネジ穴に挿入し、ナットにより前記連結部材取付部に固定される
ことを特徴とする請求項１〜請求項５いずれかに記載の照明器具のカバー枠。
【発明の詳細な説明】
【技術分野】
【０００１】
本発明は、照明器具の内部をカバーする照明カバーの周囲に取り付ける照明器具のカバー枠に関するものである。
【背景技術】
【０００２】
従来、照明器具カバーを囲う四角いカバー枠として、カバー枠の四辺を構成する４つのカバー枠材をカバー枠のコーナー部を構成する連結部材で連結するものが提供されている（特許文献１）。
【先行技術文献】
【特許文献】
【０００３】
【特許文献１】実公平５−３２８９２号公報
【発明の概要】
【発明が解決しようとする課題】
【０００４】
特許文献１に開示されるカバー枠には、カバー枠のコーナー部を構成する連結部材が意匠面に露出するという課題がある。
【０００５】
また、カバー枠材を溶接して組み立てるカバー枠も提供されているが、このカバー枠には、カバー枠材を溶接するための専用の設備および作業者が必要であるという課題がある。
さらに、溶接は表面仕上げ前に行わなければならないという工程の制約があるため、部材購入から照明器具の組み立てまでの工数が多くなるという課題もあった。例えば、（１）部材を購入する（２）部材を切断・加工してカバー枠材を生成する（３）カバー枠材を溶接してカバー枠を生成する（４）カバー枠を表面仕上げしてカバー枠を完成させる（５）カバー枠を用いて照明器具を組み立てる、という工程が必要になる。
【０００６】
本発明は、例えば、専用の設備および作業者を必要とせず組み立てられ、部材の購入から照明器具の組み立てまでの工程が少なく、カバー枠材の接合部断面が小さく、組み立て作業性が良く、意匠性が良い照明器具のカバー枠を提供できるようにすることを目的とする。
【課題を解決するための手段】
【０００７】
本発明の照明器具のカバー枠は、照明器具の内部をカバーする照明カバーの周囲に並べられて前記照明カバーを囲う複数のカバー枠材と、隣り合うカバー枠材を連結する連結部材とを備える照明器具のカバー枠であり、前記複数のカバー枠材の各カバー枠材は、断面がＬ字状を成してＬ字状の屈曲部で前記照明カバーを支持するカバー支持部と、断面が前記カバー支持部と背合わせにＬ字状を成して一端が天井側に折り曲げられたカバー周材部と、前記カバー周材部に設けられると共に前記連結部材が取り付けられる連結部材取付部とを有する。
【発明の効果】
【０００８】
本発明によれば、例えば、専用の設備および作業者を必要とせず組み立てられ、部材の購入から照明器具の組み立てまでの工程が少なく、カバー枠材の接合部断面が小さく、組み立て作業性が良く、意匠性が良い照明器具のカバー枠を提供することができる。
【図面の簡単な説明】
【０００９】
【図１】実施の形態１における照明器具１００の器具本体３００、照明カバー１１０およびカバー枠２００とを示す片側断面図。
【図２】実施の形態１における照明器具１００の器具本体３００、照明カバー１１０およびカバー枠２００とを示す片側断面図。
【図３】実施の形態１における照明カバー１１０とカバー枠２００との組み立て図。
【図４】実施の形態１におけるカバー枠材の構造を示す図。
【図５】実施の形態１におけるカバー枠材の連結方法を示す図。
【図６】実施の形態２におけるカバー枠材の構造を示す図。
【図７】実施の形態２におけるカバー枠材の連結方法を示す図。
【図８】実施の形態３におけるカバー枠材の構造を示す図。
【図９】実施の形態３におけるカバー枠材の連結方法を示す図。
【発明を実施するための形態】
【００１０】
実施の形態１．
照明器具の内部をカバーする照明カバーの周囲に並べられて照明カバーの周囲に取り付けられる複数のカバー枠材と、隣り合うカバー枠材を連結する連結部材とを備える照明器具のカバー枠について説明する。
【００１１】
図１および図２は、実施の形態１における照明器具１００の器具本体３００、照明カバー１１０およびカバー枠２００とを示す片側断面図である。
実施の形態１における照明器具１００の器具本体３００、照明カバー１１０およびカバー枠２００について、図１および図２に基づいて以下に説明する。
【００１２】
照明カバー１１０とカバー枠２００とを器具本体３００に取り付ける前の照明器具１００を図１に示し、照明カバー１１０とカバー枠２００とを器具本体３００に取り付けた後の照明器具１００を図２に示す。
【００１３】
図１および図２に示す照明器具１００は、四角い箱型の器具本体３００が天井１０２に埋め込まれる天井埋め込み型である。但し、照明器具１００は、天井埋め込み型に限られない。例えば、照明器具１００は、側壁や床に埋め込まれても、天井１０２に直接取付られたり吊り下げられても構わない。
図１および図２は器具本体３００およびカバー枠２００の側面を示しており、右側半分は器具本体３００およびカバー枠２００の内部を示している。図１右側に示すソケット３２１は、直管の蛍光灯３２０が取り付けられるソケット３２１である。但し、照明器具１００のランプは、直管の蛍光灯３２０に限られない。例えば、照明器具１００のランプは、電球、電球形蛍光灯またはＬＥＤライトでも構わない。
【００１４】
器具本体３００は、ソケット３２１および蛍光灯３２０の他に、点灯装置３１０、反射板３３０および接続板３４０を備える。
また、器具本体３００のツバ部３０１と天井１０２との間にはパッキン３５０が設けられている。但し、照明器具１００の形状や使用用途に応じてパッキン３５０（および後述するパッキン１１１）は無くてもよい。
【００１５】
照明カバー１１０は、器具本体３００の内部を覆うものであり、ガラスやアクリルなどでできている。
カバー枠２００は、照明カバー１１０の周部を覆うものである。
照明カバー１１０は、パッキン１１１が周部に嵌められ、カバー枠２００に収められ、押さえ枠１２０により上から押えられる。
【００１６】
カバー枠２００にはＶバネ１３０が取り付けられる。照明カバー１１０およびカバー枠２００は、Ｖバネ１３０が器具本体３００の接続板３４０に嵌められて器具本体３００に取り付けられる。
【００１７】
図３は、実施の形態１における照明カバー１１０とカバー枠２００との組み立て図である。
実施の形態１における照明カバー１１０とカバー枠２００との組み立て方法について、図３に基づいて以下に説明する。
【００１８】
カバー枠２００は、照明カバー１１０の短辺を囲う２つのカバー枠材（２０１、２０３）と照明カバー１１０の長辺を囲う２つのカバー枠材（２０２、２０４）とが連結したものである。
照明カバー１１０はカバー枠２００の内周部分に収められ、押さえ枠１２０は照明カバー１１０の上に置かれ、カバー枠２００と押さえ枠１２０とＶバネ１３０とはネジ１０１で固定され、図１および図２に示したように照明カバー１１０とカバー枠２００とが組み立てられる。
【００１９】
次に、カバー枠２００の構造について説明する。
【００２０】
図４は、実施の形態１におけるカバー枠材の構造を示す図である。
カバー枠２００を構成するカバー枠材Ａ２０１の構造について、図４に基づいて以下に説明する。
【００２１】
図４（ａ）にカバー枠材Ａ２０１の長手方向の両端部分を表す平面図を示し、図４（ｂ）にカバー枠材Ａ２０１の長手方向の端部を表す側面図を示す。
【００２２】
カバー枠材Ａ２０１は、表面処理済みのアルミ押し出し材であり、カバー支持片２１５、仕切り片２１４、連結部材取付片２１２、カバー周材片２１３および補強片２１９を有する。
【００２３】
カバー支持片２１５は、水平に置かれ、照明カバー１１０を下から支える。
仕切り片２１４は、カバー支持片２１５の中間部に垂直に接合され、カバー支持片２１５を照明カバー１１０が置かれる内側部分と照明カバー１１０が置かれない外側部分とに仕切る。
連結部材取付片２１２は、丸穴２１６が開けられ（（ａ）参照）、後述する連結部材２２０がネジにより固定される。
カバー周材片２１３は、カバー支持片２１５の外側の端部から斜め上方に傾いて、連結部材取付片２１２に固定される連結部材２２０を内側に隠す。
補強片２１９は、連結部材取付片２１２とカバー周材片２１３とに両端を接し、カバー周材片２１３を補強する。
【００２４】
（ｂ）において、仕切り片２１４とカバー支持片２１５の内側部分とは、断面がＬ字状を成してＬ字状の屈曲部で照明カバー１１０を支持するカバー支持部２０９ａを構成する。
さらに、仕切り片２１４、カバー支持片２１５の外側部分およびカバー周材片２１３は、断面がカバー支持部２０９ａと背合わせにＬ字状を成し一端が天井１０２側に折り曲げられたカバー周材部２０９ｂを構成する。仕切り片２１４、カバー支持片２１５およびカバー周材片２１３は、断面がＬ字とＪ字を背合わせにした略逆Ｔ字状を成す。
連結部材取付片２１２は、カバー周材部２０９ｂのＪ字状の屈曲部の内側に設けられると共に後述する連結部材２２０が取り付けられる連結部材取付部２０９ｃを構成する。
【００２５】
連結部材取付片２１２は、断面がＬ字状であり、仕切り片２１４（カバー周材部２０９ｂのＪ字状の縦片部）とカバー支持片２１５の外側部分（カバー周材部２０９ｂのＪ字状の底部）とにＬ字状の両端部を接し、仕切り片２１４とカバー支持片２１５の外側部分と共に「口」の字状の開口部２１１を設ける。
【００２６】
（ａ）に示すように、カバー枠材Ａ２０１の両端（接端部）はおおよそ４５度の角度に切断されている。
【００２７】
他のカバー枠材（カバー枠材Ｂ２０２、カバー枠材Ｃ２０３、カバー枠材Ｄ２０４）もカバー枠材Ａ２０１と同じ構造である。
【００２８】
図５は、実施の形態１におけるカバー枠材の連結方法を示す図である。
カバー枠材Ａ２０１とカバー枠材Ｂ２０２との連結方法について、図５に基づいて以下に説明する。
【００２９】
（１）まず、連結部材２２０のＬ字状の一方の先をカバー枠材Ａ２０１の開口部２１１に奥まで挿入する。連結部材２２０は、おおよそ９０度に曲がったＬ字状を成す平板であり、Ｌ字状の両先に螺子切りされたタップ穴（２２１ａ、２２１ｂ）が空けられている。連結部材２２０がカバー枠材Ａ２０１の開口部２１１に奥まで挿入されたとき、連結部材２２０のタップ穴２２１ａとカバー枠材Ａ２０１の丸穴２１６との位置が一致する。
【００３０】
（２）次に、カバー枠材Ａ２０１の丸穴２１６と連結部材２２０のタップ穴２２１ａとにネジ２２２を締め込んで連結部材２２０とカバー枠材Ａ２０１とを固定する。さらに、連結部材２２０のＬ字状の他方の先をカバー枠材Ａ２０１と隣り合うカバー枠材Ｂ２０２の開口部２１１に奥まで挿入し、カバー枠材Ｂ２０２の端部をカバー枠材Ａ２０１の端部に突き当てる。連結部材２２０がカバー枠材Ｂ２０２の開口部２１１に奥まで挿入されたとき、連結部材２２０のタップ穴２２１ｂとカバー枠材Ｂ２０２の丸穴２１６との位置が一致する。
【００３１】
（３）そして、カバー枠材Ｂ２０２の丸穴２１６と連結部材２２０のタップ穴２２１ｂとにネジ２２２を締め込んで連結部材２２０とカバー枠材Ｂ２０２とを固定する。カバー枠材Ａ２０１とカバー枠材Ｂ２０２とはＬ字コーナーを構成する。カバー枠材Ａ２０１とカバー枠材Ｂ２０２とは、端部が共に４５度に切断されているため、位置決めされ、隙間が生じにくく、連結強度が強い。
【００３２】
同様にしてカバー枠材Ａ２０１とカバー枠材Ｄ２０４、カバー枠材Ｃ２０３とカバー枠材Ｂ２０２およびカバー枠材Ｃ２０３とカバー枠材Ｄ２０４を連結し、カバー枠２００を組み立てる（図３参照）。
連結部材２２０が板金製であれば、カバー枠材の連結強度が増し、照明カバー１１０の重みによるカバー枠２００の変形や破損を防ぐことができる。照明カバー１１０が軽量であれば、連結部材２２０は板金製でなく樹脂製でも構わない。
【００３３】
実施の形態１において以下のようなカバー枠２００について説明した。
カバー枠２００は、カバー枠材の断面が略逆Ｔ字形であり、隣接するカバー枠材がコーナーにて連結部材２２０で接合され、照明カバー１１０を支持する。
連結部材２２０は、略Ｌ字形を成し、カバー枠２００の意匠面に露出しない。
【００３４】
実施の形態１におけるカバー枠２００は、以下のような効果を奏する。
（Ａ）溶接用の設備および作業者を必要とせず組み立てられる。
（Ｂ）部材の購入から照明器具１００の組み立てまでの工程が少ない。例えば、（１）部材を購入し、（２）部材を切断・加工してカバー枠材を生成し、（３）カバー枠材を連結したカバー枠２００を取り付けることで、１００を組み立てることができる。
（Ｃ）カバー枠材の連結部断面が小さい。
（Ｄ）溶接が不要であるため組み立て作業性が良い。
（Ｅ）連結部材２２０が人目から隠れるため意匠性が良い。
【００３５】
実施の形態２．
実施の形態１と異なる連結部材を用いるカバー枠２００の形態について説明する。
以下、実施の形態１と異なる事項について主に説明する。説明を省略する事項については実施の形態１と同様である。
【００３６】
図６は、実施の形態２におけるカバー枠材の構造を示す図である。
カバー枠２００を構成するカバー枠材Ａ２０１の構造について、図６に基づいて以下に説明する。
【００３７】
図６（ａ）にカバー枠材Ａ２０１の長手方向の両端部分を表す平面図を示し、図６（ｂ）にカバー枠材Ａ２０１の長手方向の端部を表す側面図を示す。
【００３８】
カバー枠材Ａ２０１は、カバー支持片２１５、仕切り片２１４、連結部材取付片２１２、カバー周材片２１３および補強片２１９を有する。
【００３９】
連結部材取付片２１２には、後述する連結部材２３０の凸部が嵌め込まれる角穴２１７が空けられている（（ａ）参照）。
その他の構成は、実施の形態１と同じである。
【００４０】
他のカバー枠材（カバー枠材Ｂ２０２、カバー枠材Ｃ２０３、カバー枠材Ｄ２０４）もカバー枠材Ａ２０１と同じ構造である。
【００４１】
図７は、実施の形態２におけるカバー枠材の連結方法を示す図である。
カバー枠材Ａ２０１とカバー枠材Ｂ２０２との連結方法について、図７にも基づいて以下に説明する。
【００４２】
（１）まず、連結部材２３０のＬ字状の一方の先をカバー枠材Ａ２０１の開口部２１１に奥まで挿入する。連結部材２３０は、平面がおおよそ９０度に曲がったＬ字状を成し、断面が「コ」の字状を成す胴部２３２を有する。さらに、連結部材２３０は、Ｌ字状の両先に２つの凸部（２３１ａ、２３１ｂ）を有する。２つの凸部は、連結部材２３０の「コ」の字状の背側から突出する。連結部材２３０の胴部２３２は、凸部を上下動させるために、「コ」の字状の開口部２３３を有する。連結部材２３０は、凸部２３１ａが押下されて連結部材２３０のコの字状の内側に押し込められ、カバー枠材Ａ２０１の開口部２１１に挿入される。連結部材２３０がカバー枠材Ａ２０１の開口部２１１に奥まで挿入されたとき、連結部材２３０の凸部２３１ａとカバー枠材Ａ２０１の角穴２１７との位置が一致する。
【００４３】
（２）連結部材２３０がカバー枠材Ａ２０１の開口部２１１に奥まで挿入され、連結部材２３０の凸部２３１ａがカバー枠材Ａ２０１の角穴２１７の位置までくると、凸部２３１ａが持ち上がって角穴２１７から頭出し、角穴２１７に嵌って引っ掛かり、連結部材２３０とカバー枠材Ａ２０１とが固定される。さらに、連結部材２３０のＬ字状の他方の先をカバー枠材Ａ２０１と隣り合うカバー枠材Ｂ２０２の開口部２１１に奥まで挿入し、カバー枠材Ｂ２０２の端部をカバー枠材Ａ２０１の端部に突き当てる。連結部材２３０がカバー枠材Ｂ２０２の開口部２１１に奥まで挿入されたとき、連結部材２３０の凸部２３１ｂとカバー枠材Ｂ２０２の角穴２１７との位置が一致する。
【００４４】
（３）カバー枠材Ｂ２０２の開口部２１１に奥まで挿入された連結部材２３０は、凸部２３１ｂがカバー枠材Ｂ２０２の角穴２１７に引っ掛かり、カバー枠材Ｂ２０２に固定される。
【００４５】
同様にしてカバー枠材Ａ２０１とカバー枠材Ｄ２０４、カバー枠材Ｃ２０３とカバー枠材Ｂ２０２およびカバー枠材Ｃ２０３とカバー枠材Ｄ２０４を連結し、カバー枠２００を組み立てる。
【００４６】
実施の形態２におけるカバー枠２００は、ネジを使用せずに組み立てることができる。
また、実施の形態２におけるカバー枠２００は、実施の形態１と同じく、溶接を必要とせず、製造工程および部品点数が少なく、作業性および意匠性が良いという効果を奏する。
【００４７】
実施の形態３．
実施の形態１と異なるカバー枠２００の組み立て形態について説明する。
以下、実施の形態１と異なる事項について主に説明する。説明を省略する事項については実施の形態１と同様である。
【００４８】
図８は、実施の形態３におけるカバー枠材の構造を示す図である。
カバー枠２００を構成するカバー枠材Ａ２０１の構造について、図８に基づいて以下に説明する。
【００４９】
図８（ａ）にカバー枠材Ａ２０１の長手方向の両端部分を表す平面図を示し、図８（ｂ）にカバー枠材Ａ２０１の長手方向の端部を表す側面図を示す。
【００５０】
カバー枠材Ａ２０１は、カバー支持片２１５、仕切り片２１４、連結部材取付片２１２、カバー周材片２１３および補強片２１９を有する。
【００５１】
連結部材取付片２１２は、カバー枠材Ａ２０１の長手方向の一端から他端まで開口する開口路２１８を有する。但し、開口路２１８は、カバー枠材Ａ２０１の両端部分のみに設けられ、カバー枠材Ａ２０１の中間部分には設けられなくてもよい。
その他の構成は、実施の形態１と同じである。
【００５２】
他のカバー枠材（カバー枠材Ｂ２０２、カバー枠材Ｃ２０３、カバー枠材Ｄ２０４）もカバー枠材Ａ２０１と同じ構造である。
【００５３】
図９は、実施の形態３におけるカバー枠材の連結方法を示す図である。
カバー枠材Ａ２０１とカバー枠材Ｂ２０２との連結方法について、図９に基づいて以下に説明する。
【００５４】
（１）まず、逆さにしたネジ２４２ａ（ボルト）をカバー枠材Ａ２０１の端部から開口路２１８に挿入する。ネジ２４２ａの頭部はカバー枠材Ａ２０１の開口部２１１に収まり、ネジ２４２ａの螺子切りされた胴部はカバー枠材Ａ２０１から突き出る。さらに、連結部材２４０に開けられた丸穴２４１ａにネジ２４２ａの胴部を挿入する。連結部材２４０は、おおよそ９０度に曲がったＬ字状を成す平板であり、Ｌ字状の両先に丸穴（２４１ａ、２４１ｂ）が開けられている。
【００５５】
（２）次に、逆さにしたもう一本のネジ２４２ｂをカバー枠材Ｂ２０２の端部から開口路２１８に挿入し、連結部材２４０の丸穴２４１ｂにネジ２４２ｂの胴部を挿入する。
【００５６】
（３）そして、カバー枠材Ａ２０１とカバー枠材Ｂ２０２とを開口路２１８に沿って移動してカバー枠材Ａ２０１の端部とカバー枠材Ｂ２０２の端部とを突き合わし、ナット２４３を締めて連結部材２４０をカバー枠材Ａ２０１とカバー枠材Ｂ２０２とに固定する。
【００５７】
同様にしてカバー枠材Ａ２０１とカバー枠材Ｄ２０４、カバー枠材Ｃ２０３とカバー枠材Ｂ２０２およびカバー枠材Ｃ２０３とカバー枠材Ｄ２０４を連結し、カバー枠２００を組み立てる。
【００５８】
実施の形態３におけるカバー枠２００は、実施の形態１と同じく、溶接を必要とせず、製造工程および部品点数が少なく、作業性および意匠性が良いという効果を奏する。
【符号の説明】
【００５９】
１００  照明器具、１０１  ネジ、１０２  天井、１１０  照明カバー、１１１  パッキン、１２０  押さえ枠、１３０  Ｖバネ、２００  カバー枠、２０１  カバー枠材Ａ、２０２  カバー枠材Ｂ、２０３  カバー枠材Ｃ、２０４  カバー枠材Ｄ、２０９ａ  カバー支持部、２０９ｂ  カバー周材部、２０９ｃ  連結部材取付部、２１１  開口部、２１２  連結部材取付片、２１３  カバー周材片、２１４  仕切り片、２１５  カバー支持片、２１６  丸穴、２１７  角穴、２１８  開口路、２１９  補強片、２２０  連結部材、２２１ａ，２２１ｂ  タップ穴、２２２  ネジ、２３０  連結部材、２３１ａ，２３１ｂ  凸部、２３２  胴部、２３３  開口部、２４０  連結部材、２４１ａ，２４１ｂ  丸穴、２４２ａ，２４２ｂ  ネジ、２４３  ナット、３００  器具本体、３０１  ツバ部、３１０  点灯装置、３２０  蛍光灯、３２１  ソケット、３３０  反射板、３４０  接続板、３５０  パッキン。
【図１】
2010267454.tif 000003
【図２】
2010267454.tif 000004
【図３】
2010267454.tif 000005
【図４】
2010267454.tif 000006
【図５】
2010267454.tif 000007
【図６】
2010267454.tif 000008
【図７】
2010267454.tif 000009
【図８】
2010267454.tif 000010
【図９】
2010267454.tif 000011